(57)【要約】【課題】移動手摺に設けた表示体の表示事項が変化し乗客コンベヤー上の乗客の移動位置に応じた情報を適時に提供する乗客コンベヤーの表示装置を得る。【解決手段】表示指令装置１７から乗降口６の信号伝送装置１５に所要の無線作動信号の伝送を指令し、適宜な広告又は乗降口６近くでは乗降時の注意事項等を信号伝送装置１５の伝送信号によって移動手摺１の電子表示体に表示する。これにより、乗客コンベヤー５に乗降する乗客に対し移動位置に応じて異なり、かつ適切な表示事項を標示する。また、電子表示体の表示事項変更時に、表示指令装置１７に変更する表示事項に対応した無線作動信号を入力することにより対処できる。このため、表示事項の変更を容易に行うことができ、表示事項変更に伴う管理費を低減する。【選択図】　　　　図１
2004043155.tif 000002
【特許請求の範囲】
【請求項１】
乗客コンベヤーに設けられた欄干の周縁部に係合されて上記欄干の長手に沿って移動する移動手摺、この移動手摺の上面に埋設状態に装備されて上記移動手摺の長手に沿って互いに離れて配置され、無線作動信号によって上記作動信号の内容に対応した表示事項を現出する電子表示体と、上記乗客コンベヤーの乗降口対応位置に配置されて上記電子表示体に上記無線作動信号を送信する信号伝送装置と、この信号伝送装置に所要の上記無線作動信号の送信を指令する表示指令装置とを備えた乗客コンベヤーの表示装置。
【発明の詳細な説明】
【０００１】
【発明の属する技術分野】
この発明は、移動手摺の上面に表示体を設けて乗客コンベヤーに乗降する乗客に適宜な情報を提供する乗客コンベヤーの表示装置に関する。
【０００２】
【従来の技術】
図６は、例えば特許２８１３６０８号公報に示された従来の乗客コンベヤーの表示装置を示す図で、乗客コンベヤーの移動手摺の横断面図である。図において、１は粘弾性材からなり横断面Ｃ字状をなす移動手摺で、上面に開口した凹所２が設けられている。３はカードからなり凹所２の底面に配置された表示体、４は合成樹脂製の透明カバーで、凹所２に嵌着されて表示体３の表面を覆って配置されている。
【０００３】
従来の乗客コンベヤーの表示装置は上記のように構成され、表示体３の表面に適宜な広告、乗降時の注意等の表示事項が表示されて、乗客コンベヤーに乗降する乗客に標示するようになっている。
【０００４】
【発明が解決しようとする課題】
上記のような従来の乗客コンベヤーの表示装置では、表示体３の表示事項を変更する場合に透明カバー４を取り外して表示体３を取り替え、再度透明カバー４を嵌着する作業が行われる。このため、表示体３の表示事項の変更に煩雑な手数が掛かり、また乗客コンベヤーの搬送行程中の適所において表示事項を変化させることができないという問題点があった。
【０００５】
この発明は、かかる問題点を解消するためになされたものであり、移動手摺に設けた表示体の表示事項を容易に変化させることができる乗客コンベヤーの表示装置を得ることを目的とする。
【０００６】
【課題を解決するための手段】
この発明に係る乗客コンベヤーの表示装置においては、乗客コンベヤーに設けられた欄干の周縁部に係合されて欄干の長手に沿って移動する移動手摺、この移動手摺の上面に埋設状態に装備されて移動手摺の長手に沿って互いに離れて配置され、無線作動信号によって作動信号の内容に対応した表示事項を現出する電子表示体と、乗客コンベヤーの乗降口対応位置に配置されて電子表示体に無線作動信号を送信する信号伝送装置と、この信号伝送装置に所要の無線作動信号の送信を指令する表示指令装置とが設けられる。
【０００７】
【発明の実施の形態】
実施の形態１．
図１〜図５は、この発明の実施の形態の一例を示す図で、図１は乗客コンベヤーの表示装置を概念的に示す全体構成図、図２は図１の移動手摺の拡大平面図、図３は図１における移動手摺の要部を拡大して示す斜視図、図４は図３における移動手摺の要部に嵌着される透明カバーを拡大して示す斜視図、図５は図３における電子表示体の構成を概念的に示すブロック図である。
【０００８】
図において、５はエスカレーターからなる乗客コンベヤーで、長手両端部にそれぞれ乗降口６が設けられている。７は乗客コンベヤー５の長手に沿って立設された欄干、１は粘弾性材からなり横断面Ｃ字状をなす移動手摺で、欄干５の周縁部に係合されて欄干５の長手に沿って移動する。８は移動手摺１の横断面における外周に凹設された溝状凹所である。
【０００９】
９は電子表示体で、プラスチック基板及び電子インクからなる前面板に、電圧を加えるガラスＴＦＴ基板の背面板を張り合わせて製造される電子ペーパーによって形成された表示部１０、マイコンからなり中央制御部を形成するＣＰＵ１１、外部とのデータ伝送のための無線式Ｉ／Ｆからなる無線通信部１２及び電池からなる電源部によって構成される。そして、移動手摺１の溝状凹所８における上面に埋設状態に装備されて移動手摺１の長手に沿って互いに離れて配置され、無線作動信号によって作動信号の内容に対応した表示事項を表面に現出する。
【００１０】
１４は弾性を有する合成樹脂製の透明カバーで、移動手摺１の溝状凹所８に対応した形状をなし溝状凹所８に嵌着されて電子表示体９の表面を覆って配置される。１５は信号伝送装置で、無線式であって電界強度が弱く到達範囲が約１ｍに設定され微弱電波を約２秒間隔で発信する。そして、乗客コンベヤー５の乗降口６対応位置にそれぞれ配置されて、乗降口６付近を移動する電子表示体９に無線作動信号を伝送する。
【００１１】
１６は信号伝送装置１５が接続された乗客コンベヤー５の制御盤、１７は制御盤１６に接続されて信号伝送装置１５に所要の無線作動信号の伝送を指令する表示指令装置、１８は表示指令装置１７における無線作動信号の内容の変更を指示する表示事項入力手段で、図示が省略してあるが携帯ターミナル又は遠隔監視センターに設けられた表示事項入力装置からなり要時に表示指令装置１７に入力される。
【００１２】
上記のように構成された乗客コンベヤーの表示装置において、表示事項入力手段１８によって表示指令装置１７に適宜な表示事項に対応した無線作動信号が入力される。そして、表示指令装置１７から制御盤１６を経て信号伝送装置１５に所要の無線作動信号の伝送が指令される。これにより、例えば乗客コンベヤー５が上昇運転されている場合に、乗客コンベヤー５の下側の乗降口６に対応した信号伝送装置１５から適宜な広告の無線作動信号が下側の乗降口６付近を移動する移動手摺１の電子表示体９に伝送される。
【００１３】
そして、下側の乗降口６付近における電子表示体９に無線作動信号に対応した広告が表示されて、乗客コンベヤー５上の乗客に標示される。次いで、移動手摺１が移動して上側の乗降口６に近づくと、乗客コンベヤー５の上側の乗降口６に対応した信号伝送装置１５から適宜な注意表示、例えば「降りる準備をしてください」の無線作動信号が上側の乗降口６付近を移動する移動手摺１の電子表示体９に伝送される。
【００１４】
このようにして、移動手摺１の電子表示体９の移動位置に対応して適宜な広告、乗降時の注意等の表示事項が電子表示体９に表示されて、乗客コンベヤーに乗降する乗客に対して、乗客の移動位置に応じて異なる表示事項を標示することができる。これにより、乗客コンベヤーの乗客に有用な情報を適時に提供することができる。また、電子表示体９の表示事項を変更する場合には、表示事項入力手段１８によって表示指令装置１７に変更する適宜な表示事項に対応した無線作動信号が入力される。
【００１５】
そして、表示指令装置１７から制御盤１６を経て信号伝送装置１５に変更した表示事項に対応した無線作動信号の伝送が指令される。したがって、煩雑な手数が掛かる作業を要することなく、容易に電子表示体９の表示事項を変更することができる。このため、電子表示体９の表示事項の変更に伴う管理費を低減することができる。
【００１６】
なお、電子表示体９の表示は、表示事項の標示と同時に電子表示体９の全面をフリッカーさせることも可能である。また、電子表示体９は厚さ０．９ｍｍ〜０．５ｍｍ程度に製作することができ、また電源を切った後でも静止画像は画面上に残る。また、電子表示体９における電源部１３は電池レベルが一定値未満になると電池切れ信号発信する。
【００１７】
これにより、電池切れ信号を信号伝送装置１５によって検出したり、また表示指令装置１７経由で遠隔監視センターに通報したりして電源部１３の状態を管理することも可能である。このため、電池切れのために電子表示体９における表示不能事態の発生を防ぐことができる。また、電子表示体９における電源部１３を太陽電池とすることも可能である。
【００１８】
【発明の効果】
この発明は以上説明したように、乗客コンベヤーに設けられた欄干の周縁部に係合されて欄干の長手に沿って移動する移動手摺、この移動手摺の上面に埋設状態に装備されて移動手摺の長手に沿って互いに離れて配置され、無線作動信号によって作動信号の内容に対応した表示事項を現出する電子表示体と、乗客コンベヤーの乗降口対応位置に配置されて電子表示体に無線作動信号を送信する信号伝送装置と、この信号伝送装置に所要の無線作動信号の送信を指令する表示指令装置とを設けたものである。
【００１９】
これによって、表示指令装置に適宜な表示事項に対応した無線作動信号が入力されて、表示指令装置から信号伝送装置に所要の無線作動信号の伝送が指令される。そして、例えば乗客コンベヤーが上昇運転されている場合に、乗客コンベヤーの下側の乗降口に対応した信号伝送装置から適宜な広告の無線作動信号が下側乗降口付近を移動する移動手摺の電子表示体に伝送される。これにより、下側の乗降口付近における電子表示体に無線作動信号に対応した広告が表示されて乗客コンベヤー上の乗客に標示される。次いで、移動手摺が移動して上側の乗降口に近づくと、乗客コンベヤーの上側の乗降口に対応した信号伝送装置から適宜な注意表示、例えば「降りる準備をしてください」の無線作動信号が上側の乗降口付近を移動する移動手摺の電子表示体に伝送される。
このようにして、移動手摺の電子表示体の移動位置に対応して適宜な広告、乗降時の注意等の表示事項が電子表示体に表示されて、乗客コンベヤーに乗降する乗客に対して乗客の移動位置に応じて異なる表示事項を標示することができる。したがって、乗客コンベヤーの乗客に適切かつ有用な情報を適時に提供する効果がある。
また、電子表示体の表示事項を変更する場合に表示指令装置に、変更する適宜な表示事項に対応した無線作動信号を入力することにより、煩雑な手数を要せず容易に表示事項を変更することができる。このため、表示事項の変更に伴う管理費を低減する効果がある。
【図面の簡単な説明】
【図１】この発明の実施の形態１を示す図で、乗客コンベヤーの表示装置を概念的に示す全体構成図。
【図２】図１の移動手摺の拡大平面図。
【図３】図１における移動手摺の要部を拡大して示す斜視図。
【図４】図３における移動手摺の要部に嵌着される透明カバーを拡大して示す斜視図。
【図５】図３における電子表示体の構成を概念的に示すブロック図。
【図６】従来の乗客コンベヤーの表示装置を示す図で、乗客コンベヤーの移動手摺の横断面図。
【符号の説明】
１　移動手摺、　　５　乗客コンベヤー、　　６　乗降口、　　７　欄干、
９　電子表示体、　　１５　信号伝送装置、　　１７　表示指令装置。
【図１】
2004043155.tif 000003
【図２】
2004043155.tif 000004
【図３】
2004043155.tif 000005
【図４】
2004043155.tif 000006
【図５】
2004043155.tif 000007
【図６】
2004043155.tif 000008